(57)【要約】      （修正有）【課題】被検出物の一次元的移動の変位を検出するため、広範囲で絶対位置を検出することができる位置検出装置を提供する。【解決手段】励磁コイル９と、磁気応答特性の異なる出力コイル７及びリファレンスコイル８と、可動磁性体２とを有し、可動磁性体２を介した励磁コイル９と出力コイル７間、励磁コイル９と出力コイル７間リファレンスコイル８間の相互インダクタンスが可動磁性体２の位置に依存して変化するよう構成され、励磁コイル９を励磁した時に誘導される出力コイル７及びリファレンスコイル８の電圧差により、可動磁性体２の絶対位置を検出する。【選択図】図１
2019015657.tif 000002
【特許請求の範囲】
【請求項１】
励磁コイルと、出力コイルと、リファレンスコイルと、
前記励磁コイル、前記出力コイル及び前記リファレンスコイルに対し相対的に可動な可動磁性体又は可動良導体とを備え、
前記リファレンスコイルは前記出力コイルと比較し磁気応答特性が低く、
前記出力コイルと前記リファレンスコイルとが差動接続され、
前記可動磁性体又は前記可動良導体は、前記可動磁性体又は前記可動良導体を介する前記励磁コイルと前記出力コイル間、及び前記励磁コイルと前記出力コイル間の相互インダクタンスが、前記可動磁性体又は前記可動良導体の長手方向の位置に依存して漸次減少又は増加するよう構成され、
前記励磁コイルを励磁したときの前記出力コイルの出力電圧と前記リファレンスコイルの出力電圧との差分を検出する
ことを特徴とする位置検出装置。
【請求項２】
前記リファレンスコイルは、少なくとも前記可動磁性体又は前記可動良導体に対向する面が強磁性体又は良導体で覆われていることを特徴とする請求項１記載の位置検出装置。
【請求項３】
前記可動磁性体又は前記可動良導体は、
導電性の非強磁性体からなる導電部を有し、
前記導電部は、長手方向に厚さが漸次減少又は漸次増大する分布を有することを特徴とする請求項１又は２記載の位置検出装置。
【請求項４】
前記可動磁性体は、
前記導電部の内部に誘導部を備え
前記励磁コイル、前記出力コイル及び前記リファレンスコイルは前記可動磁性体の外部に配置されていることを特徴とする請求項３記載の位置検出装置。
【請求項５】
前記可動磁性体は、
前記導電部の外部に誘導部を備え、
前記導電部は、長尺な中空形状をなし、
前記励磁コイル、前記出力コイル及び前記リファレンスコイルは前記可動磁性体の内部に配置されていることを特徴とする請求項３記載の位置検出装置。
【請求項６】
前記可動磁性体又は前記可動良導体は、その断面積が、長手方向に漸次減少又は漸次増大し、
前記励磁コイル、前記出力コイル及び前記リファレンスコイルは前記可動磁性体又は前記可動良導体の外部に配置されていることを特徴とする請求項１又は２記載の位置検出装置。
【請求項７】
前記可動磁性体又は前記可動良導体は、特定の領域において、その他の領域と比較し、前記可動磁性体又は前記可動良導体を介する前記励磁コイルと前記出力コイル間、及び前記励磁コイルと前記出力コイル間の相互インダクタンスの位置依存性の絶対値が大きい
ことを特徴とする請求項１又は２記載の位置検出装置。
【発明の詳細な説明】
【技術分野】
【０００１】
本発明は、位置検出装置、特に絶対位置の検出が可能な位置検出装置に関する。
【背景技術】
【０００２】
従来より、位置検出装置として差動変圧器が知られている。差動変圧器は、一次側コイルに交流電圧を印加し、２つの二次側コイルに誘起される電圧の差分を検出するものである。差動変圧器においては、コイル内部に直線的に可動な磁性体コア（可動磁心）の位置により一次側コイルと２つの二次側コイルとの間の相互インダクタンスが変化し、２つの二次側コイルに誘起される電圧差が生じる。そのため、検出対象に磁性体コアを連結し、磁性体コアの位置の変化を、二次側コイルの電圧差として検出することで、検出対象の位置の変化（変位）を検出する。
【０００３】
しかし、差動変圧器が検出できる変位の範囲は、二次側コイルの内部で磁性体コアが移動する範囲に限定される。そのため、差動変圧器は、広範囲の変位を検出することができないという問題がある
そのため、特許文献１では、コアの形状を、断面積が軸方向の位置により漸次に変化する円錐又はテーパー形状とし、一次側コイルと二次側コイルとの相互インダクタンスが、軸方向の位置により変化する構成とし、２つの二次側コイルの電圧の比により、広範囲の位置を検出する方法が開示されている。
また、特許文献２では、四角柱のコアの側面に、軸方向に面積が変化する板状の磁性片を貼着し、一次側コイルと二次側コイルとの相互インダクタンスが、軸方向の位置により変化する構成とし、２つの二次側コイルの電圧の差分により広範囲の位置を検出する方法が開示されている。
【先行技術文献】
【特許文献】
【０００４】
【特許文献１】特開２００３−７５１０６号公報
【特許文献２】特開昭６３−２６５１１５号公報
【発明の概要】
【発明が解決しようとする課題】
【０００５】
特許文献１の位置検出装置の場合、２つの二次側コイルの電圧の差分は、軸方向の位置に依らず一定となるため、２つの二次側コイルの電圧の差分ではなく、電圧の比により位置を検出する必要がある。そのため、２つの二次側コイルの電圧の比を算出するための複雑な演算処理回路が必要となる。
さらに、二次側コイルに外部から侵入した電気的ノイズを、互いに相殺することができないという問題がある。すなわち、差動変圧器は、外部からのノイズや、温度による電気的な変動を、２つの二次側コイルの電圧の差分を用いることにより、互いに相殺出来るという利点を有しているが、特許文献１の検出方式では、このような差動変圧器の利点を損なうことになる。
従って、ノイズ耐性の向上や温度補償の目的で、特別な補助コイルを設ける必要があり、さらに高度な回路が必要となり、装置が複雑化する。
【０００６】
特許文献２の場合、２つの二次側コイルの電圧の差分により位置を検出するため、ノイズや温度変化に対して、差動変圧器の利点である相殺効果を得ることができる。
しかしながら、現実的には、位置に依存して断面積が変化する磁性片の設計が困難である。例えば、２つの二次側コイルの電圧の差分が、位置に対して線型に変化するには、二次側コイルの電圧の位置依存性を非線型にする必要がある。そのため、磁性片の形状設計が困難であるという問題がある。
【０００７】
上記課題を鑑み、本発明は、広範囲に亘り被検出物の絶対位置を、高精度に検出することができる差動変圧方式を利用した位置検出装置を提供することを課題とする。
【課題を解決するための手段】
【０００８】
本発明に係る位置検出装置は、
励磁コイルと、出力コイルと、リファレンスコイルと、
前記励磁コイル、前記出力コイル及び前記リファレンスコイルに対し相対的に可動な可動磁性体又は可動良導体とを備え、
前記リファレンスコイルは前記出力コイルと比較し磁気応答特性が低く、
前記出力コイルと前記リファレンスコイルとが差動接続され、
前記可動磁性体又は前記可動良導体は、前記可動磁性体又は前記可動良導体を介する前記励磁コイルと前記出力コイル間、及び前記励磁コイルと前記出力コイル間の相互インダクタンスが、前記可動磁性体又は前記可動良導体の長手方向の位置に依存して漸次減少又は増加するよう構成され、
前記励磁コイルを励磁したときの前記出力コイルの出力電圧と前記リファレンスコイルの出力電圧との差分を検出することを特徴とする。
【０００９】
このような位置検出装置とすることで、励磁コイルを励磁したときの出力コイルの出力電圧とリファレンスコイルの出力電圧は可動磁性体又は可動良導体の長手方向の位置に依存して変化する。さらに出力コイルとリファレンスコイルの磁場に対する感度が異なるため、上記長手方向の位置に依存した出力コイルの出力電圧の変化と、リファレンスコイルの出力電圧とは異なる挙動を示す。そのため、出力コイルの出力電圧とリファレンスコイルの出力電圧との差分は、上記長手方向の位置に依存して変化する。
そのため、出力コイルの出力電圧とリファレンスコイルの出力電圧との差分から可動磁性体又は可動良導体の絶対位置を検出することができ、かつノイズ耐性があり、環境温度変化による変動の少ない位置検出装置を提供することができる。
【００１０】
また、本発明に係る位置検出装置は、
前記リファレンスコイルは、少なくとも前記可動磁性体又は前記可動良導体に対向する面が強磁性体又は良導体で覆われていることを特徴とする。
【００１１】
このような構成とすることで、リファレンスコイルに侵入する磁束が弱められ、出力コイルとリファレンスコイルの磁場に対する感度が変わり、それぞれの出力電圧の差分を可動磁性体の位置により変化させることができる。
【００１２】
また、本発明に係る位置検出装置は、
前記可動磁性体又は前記可動良導体は、
導電性の非強磁性体からなる導電部を有し、
前記導電部は、長手方向に厚さが漸次減少又は漸次増大する分布を有することを特徴とする。
【００１３】
このような構成とすることで、可動磁性体又は可動良導体の磁気的特性が位置により変化し、励磁コイルと前記出力コイル間、及び励磁コイルと前記出力コイル間の相互インダクタンスが位置により変化するとともに、位置によって一意に確定し、絶対位置を検出することが可能となる。
なお、可動良導体の場合は、導電部のみから構成される。
【００１４】
また、本発明に係る位置検出装置は、
前記可動磁性体は、
前記導電部の内部に誘導部を備え
前記励磁コイル、前記出力コイル及び前記リファレンスコイルは前記可動磁性体の外部に配置されていることを特徴とする。
【００１５】
また、本発明に係る位置検出装置は、
前記可動磁性体は、
前記導電部の外部に誘導部を備え、
前記導電部は、長尺な中空形状をなし、
前記励磁コイル、前記出力コイル及び前記リファレンスコイルは前記可動磁性体の内部に配置されていることを特徴とする。
【００１６】
このような構成とすることで、可動磁性体に対して、励磁コイル、出力コイル及びリファレンスコイルの相対的な一次元的移動が容易となり、可動磁性体の相対的変位を容易に検出することができる。
【００１７】
また、本発明に係る位置検出装置は、
前記可動磁性体又は前記可動良導体は、その断面積が、長手方向に漸次減少又は漸次増大し、
前記励磁コイル、前記出力コイル及び前記リファレンスコイルは前記可動磁性体又は前記可動良導体の外部に配置されていることを特徴とする。
【００１８】
このように、簡単な構成により位置検出装置を提供することができ、さらに様々な分野での応用が容易となる。
【００１９】
また、本発明に係る位置検出装置は、
前記可動磁性体又は前記可動良導体は、特定の領域において、その他の領域と比較し、前記可動磁性体又は前記可動良導体を介する前記励磁コイルと前記出力コイル間、及び前記励磁コイルと前記出力コイル間の相互インダクタンスの位置依存性の絶対値が大きいことを特徴とする。
【００２０】
このような構成とすることで、高い位置検出が必要とされる特定の領域において、その他の領域と比較して、位置検出の空間分解能を高めることができる。例えば、顧客等の要望に合わせて、高分解能が必要とされる領域のみ、空間分解能を高めることができる。
その結果、不要に装置を大型化することなく、高精度な位置検出が可能な位置検出装置を提供することができる。
【発明の効果】
【００２１】
本発明によれば、信頼性の高い絶対位置を検出することができる差動変圧方式の位置検出装置を提供することができる。
【図面の簡単な説明】
【００２２】
【図１】実施形態１による位置検出装置の断面図。
【図２】実施形態１による出力コイル及びリファレンスコイルの出力電圧の位置依存性。
【図３】位置検出装置の電子回路構成図。
【図４】実施形態２による位置検出装置の断面図。
【図５】実施形態３による可動磁性体の断面図。
【図６】実施形態３による出力コイル及びリファレンスコイルの出力電圧の位置依存性。
【図７】実施形態４による位置検出装置の断面図。
【図８】実施形態４による位置検出装置の断面図。
【発明を実施するための形態】
【００２３】
以下、図面を参照して本発明の実施形態について説明する。但し、以下の実施形態は、いずれも本発明の要旨の認定において限定的な解釈を与えるものではない。また、同一又は同種の部材については同じ参照符号を付して、説明を省略することがある。
【００２４】
（実施形態１）
図１は、本発明の実施形態１における位置検出装置１の断面を模式的に示す。
位置検出装置１は、例えば円柱等の中実な長尺の可動磁性体２を備え、可動磁性体２は、その中心部に、パーマロイ、フェライト、鉄等の強磁性体からなる誘導部３を備え、誘導部３の表面には、銅やアルミニウム等の非強磁性材料からなる導電部４が形成されている。
誘導部３の断面は、長手方向の位置に依らず一定の形状をなすが、導電部４の厚さは、可動磁性体２の長手方向の距離に依存し、距離とともに漸次減少するか、又は漸次増大する。すなわち、導電部４は、その厚さが単調に減少又は単調に増加し、かつ異なる位置で同一の厚さを有することがない厚さ分布を有し、位置により一意的に厚さが確定する。
なお、図１においては、ＡからＡ’に向かう方向に、導電部４の厚さが減少するが、Ａ’からＡに向かう方向に対しては導電部４の厚さが増大するものであり、漸次減少することと、漸次増大することとは、単に方向の定義による違いであり、導電部４の厚さが長さ方向に対して上記の単調増加又は単調減少を意味するという点で実質的に同じである。
【００２５】
このような特性の厚さ分布を有する導電部４は、例えば円柱状の誘導部３の表面に、メッキや蒸着等により、銅等の非強磁性材料を形成し、その後、可動磁性体２の長手方向の中心軸の回りに可動磁性体２を回転させ、導電部４を、長手方向に研磨量を変化させながら研磨することで、形成することができる。
【００２６】
導電部４の表面を保護するため、非磁性の樹脂層５を塗布し、表面を樹脂層５で覆う。
この樹脂層５により、導電部４が酸、水分等により腐食や酸化を防止することができる。
さらに、樹脂層５の表面にステンレス鋼等の保護層６で覆い、樹脂層５に対し、傷等の発生を防止することができる。例えば、樹脂層５を塗布した可動磁性体２を、ステンレス鋼のパイプ内部に挿入することで、このような構成とすることができる。
【００２７】
可動磁性体２の外部には、例えば、銅等の導電線を、同軸の筒状（コイル状）に巻回して作成した出力コイル７及びリファレンスコイル８が配置されている。さらに、出力コイル７及びリファレンスコイル８の外部には、出力コイル７と同軸で径の大きな筒状の励磁コイル９が配置されている。これらの３つのコイルは、互いに位置関係が固定されており、同一の中心軸を共有するように配置されている。さらに上記可動磁性体２の長手方向の中心軸とコイルの中心軸とが一致する。
【００２８】
出力コイル７及びリファレンスコイル８は、例えば、同一の幾何学的形状（径及び長さ）で、同一の巻数の同一の電気抵抗を有する銅等の導電線を有することで、同一の電気的特性をとなるよう構成されている。従って、出力コイル７及びリファレンスコイル８に使用されているコイル自体は、磁場に対して同一の磁気応答特性を有する。しかし、図１に示されるように、リファレンスコイル８のみ、少なくとも可動磁性体２に対向する側の表面、さらに好適には励磁コイル９に面する側以外の表面が、カバー部材１０で覆われている。カバー部材１０は、パーマロイ、フェライト、鉄等の強磁性体又は渦電流損を生じさせる銅、アルミニウム、銀等の良導体（好適には、抵抗率が１０−７Ωｍ台又はそれ以下の導電体）からなる。
すなわち、出力コイル７及びリファレンスコイル８は、実質同じコイルから作製されるが、リファレンスコイル８は、カバー部材１０で覆われている点で出力コイル７と異なる。
それにより、リファレンスコイル８に侵入する外部磁場の強度（磁束）が出力コイル７と比較して減少し、励磁コイル９により発生した外部磁場に対する磁気応答特性が低くなる。ここで、コイルの磁気応答特性が同一とは、同一外部磁場に対してコイルから出力される電圧が同一であることを意味し、磁気応答特性が低いとは、同一外部磁場に対してコイルから出力される電圧が低くなることを意味する。
本発明において、リファレンスコイル８と出力コイル７は、使用しているコイル自体の磁気応答特性は同じであるが、リファレンスコイル８は、カバー部材１０で覆われているため、励磁コイル９により誘導され発生した同一の外部磁場に対して、出力コイル７と比較してリファレンスコイル８に侵入する磁束が弱められ、リファレンスコイル８の出力電圧が相対的に低く、リファレンスコイル８は出力コイル７と比較して磁気応答特性が低くなる。このような出力コイルとリファレンスコイルの磁気応答特性の関係は、以下の実施形態においても同様である。
【００２９】
可動磁性体２は、図示しない軸受けによって、上記中心軸に沿って摺動可能に支持されている。そのため、可動磁性体２は、出力コイル７及びリファレンスコイル８の内部で、長手方向に移動が可能である。また、図より明らかであるが、可動磁性体２の長手方向の長さは、配置された３つのコイルに亘る距離よりも長く、この可動磁性体２の長手方向の長さの範囲で位置測定が可能である。位置測定可能な範囲は、他の実施形態でも同様である。
【００３０】
さらに可動磁性体２と上記３つのコイルとは非接触になるよう、可動磁性体２と上記３つのコイルとの間に空隙が設けられている。例えば、図１に示ように、出力コイル７及びリファレンスコイル８の内径を、可動磁性体２の外径より大きくすることで、出力コイル７及びリファレンスコイル８と可動磁性体２とが非接触で、互いに干渉すること無く、可動磁性体２をコイルの中心軸に沿って往復移動することができる。
また、可動磁性体２は、被検出物と連結され、被検出物とともに移動する。その結果、可動磁性体２の移動を検出することで、被検出物の移動を検出できる。
【００３１】
以下、本実施形態による差動変圧方式の位置検出器の動作原理について説明する。
発振器により発生した交流電圧（又は交流電流）を、励磁コイル９に印加することにより、磁場が発生し、可動磁性体２内部を貫く磁束が発生する。可動磁性体２内部の磁束は、誘導部３の外部の導電部４による渦電流損により弱められ、励磁コイル９と出力コイル７間及び励磁コイル９とリファレンスコイル８間の相互インダクタンスが小さくなる。渦電流損は、導電部４の抵抗に依存するため、導電部４が厚いほど大きくなる。そのため、好適には、導電部４は良導体により構成する。
図１の場合、ＡからＡ’に向かう方向の位置に依存して、導電部４の厚さが漸次減少するため、可動磁性体２を介した、励磁コイル９と出力コイル７との間及び励磁コイル９とリファレンスコイル８との間の相互インダクタンスは、上記位置に依存して漸次増加する。
そのため、各コイルを固定し、可動磁性体２がＡ’からＡ方向に移動すると、出力コイル７及びリファレンスコイル８が、相対的に可動磁性体２に対してＡからＡ’方向に移動することになり、その移動に伴って、相互インダクタンスが増大する。
【００３２】
一方、リファレンスコイル８の表面は、カバー部材１０で覆われているため、リファレンスコイル８に侵入する磁束のみ弱められる。そのため、出力コイル７と比較し、リファレンスコイル８の出力は相対的に減少する。
【００３３】
図２は、励磁コイル９を励磁したときの、出力コイル７及びリファレンスコイル８の出力電圧の、可動磁性体２に対するＡからＡ’方向の相対位置変化依存性を、模式的に示す。
出力コイル７及びリファレンスコイル８の可動磁性体２に対する相対位置が、ＡからＡ’に向かうに従い、ともに出力電圧は増大する。また、上述のように出力コイル７と比較し、リファレンスコイル８の出力電圧は相対的に低い。そのため、出力コイル７及びリファレンスコイル８の出力電圧の差分は、ＡからＡ’方向の相対位置に依存して増大する。
従って、出力コイル７及びリファレンスコイル８の出力電圧を差動接続し、出力電圧差を検知することにより、出力コイル７及びリファレンスコイル８の可動磁性体２に対する相対位置を検知することができる。
【００３４】
なお、特許文献１の構成では、検出コイルの出力電圧の差分は、位置に依らず一定であるため、出力電圧の比を算出する必要がある。しかし、本発明による位置検出装置１においては、上記のように出力電圧の差分が位置に依存するため、出力電圧の差分により位置を検知することが可能である。
また、特許文献２の構成のように、出力電圧の差分が、位置に依存するよう、可動磁性体２の特別な磁気的設計を必要としない。すなわち、導電部４の厚さの分布を位置に依存した一定の傾きをもつような位置の一次関数とするという簡単な設計であっても、出力コイル７及びリファレンスコイル８の出力電圧の差分は、常に位置に依存する。そのため、導電部４の厚さの設計が容易であり、また加工も容易である。
なお、導電部４の厚さ分布を、位置に関する一次関数以外に設定することを妨げるものではなく、位置に関する一次関数以外の分布であってもよい。
【００３５】
なお、図２は、簡単のためにＡからＡ’方向の相対位置に対して、出力コイル７及びリファレンスコイル８の出力電圧が線型に変化する例を示したが、非線型に変化する特性であってもよい。ただし、図２に示すように、線型に変化する場合には、簡単な演算処理により出力電圧の差分から位置情報を算出することができる。
【００３６】
また、出力コイル７及びリファレンスコイル８は同一の電気的特性を有しているため、同一の温度依存性を示し、また外部からのノイズ、特に電気的な擾乱、例えば励磁コイル９に印加する交流電圧の変動等、に対して同一の応答をする。
従って、出力コイル７及びリファレンスコイル８の出力電圧の差分は、これらの影響を相殺することができる。
出力コイル７及びリファレンスコイル８の出力電圧の差分は、それぞれの出力端子を逆接続することで得られる。
【００３７】
図３は、位置検出器に使用される電子回路の一例の概要を示す。
励磁コイル９を励磁させるための交流源として、発振器１１は、所定の周波数の正弦波を発生させる。
なお、発振器１１から発生する正弦波の周波数は、固定の周波数であってもよいが、例えば数十Ｈｚから数十ｋＨｚの範囲で適宜調整可能なものとしてもよい。
励磁コイル９から発生した磁場により、可動磁性体２内部に交番磁束が生じる。可動磁性体２の位置に依存して導電部４の厚さが異なるため、出力コイル７及びリファレンスコイル８を貫く磁束も可動磁性体２の位置に依存して変化する。その結果、出力コイル７及びリファレンスコイル８に、可動磁性体２の位置に依存した誘導電圧が発生する。
【００３８】
図３に示すように、逆接続された出力コイル７及びリファレンスコイル８の出力電圧を差動アンプ１２に入力し、出力コイル７及びリファレンスコイル８の出力電圧の差分に比例した電圧が増幅されて出力される。差動アンプ１２の出力は、検波回路１３に入力され、整流されて出力される。検波回路１３の出力から位置情報を得ることができる。
例えば、予め出力コイル７及びリファレンスコイル８の出力電圧の差分に応じた検波回路１３の出力と可動磁性体２の位置情報との関係を記憶装置に格納しておき、検波回路１３の出力を、例えばＡＤコンバータによりデジタル処理し、格納してある位置情報との関係を参照し、位置情報を表示装置や記憶装置等に出力すればよい。
【００３９】
検波回路１３の出力と位置情報との関係が、線型関係等の数式で格納してある場合、演算処理により検波回路１３の出力から位置情報を出力することができる。
また、検波回路１３の出力と位置情報との関係が、テーブル（表）で格納してある場合、検波回路１３の出力に対応する位置情報を読み取ることができる。又は、実測した検波回路１３の出力に近い、格納された検波回路１３の出力値を複数（例えば、２又は３個のデータ）参照し、それに対応した複数の位置情報の値から、適宜補間することで位置情報を出力することができる。
【００４０】
本発明の位置検出装置１においては、出力コイル７及びリファレンスコイル８の出力電圧の差分により一意に可動磁性体２の位置が確定するため、出力コイル７及びリファレンスコイル８は、いかなる位置から検出を始めても、（或いはどの場所で位置検出装置の電源を投入しても、）可動磁性体２の位置を検出することができる。すなわち、位置の絶対値を検出することができる。
【００４１】
なお、可動磁性体２の形状は円柱に限定するものではない。三角柱や四角柱等の角柱であってもよい。角柱の誘導部３の各側面に導電部４を、厚さ分布が位置に対して漸次減少又は増大するよう構成すればよい。この場合、角柱の誘導部３表面に導電部４を形成し、誘導部３を回転せずに導電部４を研磨すればよい。
【００４２】
可動磁性体２として、予め準備してある同一の誘導部３を母材として、その表面に形成された導電部４の厚さ分布を調整（変更）する構成とすることにより、様々な特性の可動磁性体２を作成することができ、使用目的や顧客の要望等に合わせて、多様な製品を容易に製造することができ、また製造工期も短縮できるという利点もある。
【００４３】
なお、誘導部３の断面が、長手方向の位置に依らず同一とすることで、加工が容易となるが、誘導部３の断面が、長手方向の位置に依存し、相似形を保ちながら面積が漸次減少し、それに反して導電部４の厚さ分布を、長手方向の位置に依存して漸次増大させてもよい。
【００４４】
すなわち、本発明の位置検出装置の検出原理は以下のようにまとめられる。
可動磁性体２の磁気的特性が長手方向の位置に依存して漸次変化するため、可動磁性体２を介して、すなわち励磁コイル９により生じた磁束が可動磁性体２を貫くことにより、励磁コイル９と出力コイル７間及び励磁コイル９とリファレンスコイル８間との相互インダクタンスが漸次変化する。
それにより励磁コイル９に交流電力を印加した時に誘導される出力コイル７及びリファレンスコイル８の電圧が、長手方向の位置に依存して変化する。
【００４５】
さらに、出力コイル７とリファレンスコイル８とが、磁場に対する検出感度（応答特性）が異なるため、出力コイル７とリファレンスコイル８との電圧の差が長手方向の位置に依存して漸次変化する。
その結果、出力コイル７とリファレンスコイル８との電圧の差から、可動磁性体２に対するコイルの絶対位置を一意に検出することができる。
従って、可動磁性体２の磁気的特性が長手方向の位置に依存して漸次変化し、異なる位置で同一の磁気特性を有しなければ、可動磁性体２の形状及び誘導部及び導電部の構成は、任意に設定可能である。
上述の検出原理は、他の実施形態についても共通である。
【００４６】
なお、位置検出対象である被検出物は、可動磁性体２に連結され、固定した３つのコイルに対する位置の変化を測定するが、可動磁性体２を固定し、３つのコイルを被検出物とともに移動してもよい。この被検出物と、可動磁性体及びコイルとの関係は、他の実施形態についても同様である。
【００４７】
また、励磁コイル９、出力コイル７及びリファレンスコイル８と可動磁性体２の中心軸が一致するように配置したが、その他の配置を取ることも可能である。例えば、可動磁性体２の断面を長方形の四角柱形状とし、励磁コイル９、出力コイル７及びリファレンスコイル８のそれぞれの中心軸を互いに平行とし、出力コイル７とリファレンスコイル８との間に励磁コイル９を配置し、且つこれらの３つのコイルの中心軸が可動磁性体２の一側面と垂直になるように配置してもよい。このような配置は、以下の実施例についても同様である。
【００４８】
上記実施形態では、可動磁性体２の中心に強磁性体からなる誘導部３を設けたが、誘導部３の代わりに導電体で構成してもよく、又は非磁性体で構成してもよい。長手方向に沿って電気抵抗が漸次減少又は増加し、位置に依存して抵抗が一意的に確定する構造とし、その結果渦電流損が位置に依存して一意的に決定される構造であればよい。また、可動磁性体２は、その中心部の誘導部３を設けず中空としてもよい。
誘導部３を設けない場合、可動磁性体２を介した励磁コイル９と出力コイル７間及び励磁コイル９とリファレンスコイル８間の相互インダクタンスが、渦電流損により、位置に依存して一意的に確定するため、絶対位置を検出することができる。この場合、可動磁性体２は、磁性体でなくなり、渦電流損の変化のみにより絶対位置を検知する構成となる。そのため、可動磁性体２の代わりに、可動な導電体（可動良導体と称す）で構成することになる。さらに、導電体は、好適には、渦電流損の大きい良導体を使用する。
【００４９】
（実施形態２）
図４は、本発明の実施形態２における位置検出装置２１の断面図を模式的に示す。
実施形態１では、出力コイル７及びリファレンスコイル８の内部に可動に配置された可動磁性体２の位置を検出する構成であった。
実施形態２においては、検出対象の磁性体を中空形状とし、その内部に、検出用の各コイルを可動に配置するものである。
【００５０】
図４に示ように、例えば円筒状の中空の可動磁性体２２は、例えば、円筒のステンレス鋼からなる中空の非磁性体２３の外面上に、銅やアルミニウム等の非強磁性材料からなる導電部２４が形成されており、導電部２４の外面上に鉄等の強磁性体からなる誘導部２５が形成されている。
【００５１】
導電部２４は、図４においてＢ−Ｂ’で示す方向、すなわち可動磁性体２２の長手方向の距離に依存して、厚さが変化し、距離とともに漸次減少するか、又は漸次増大する。その結果、導電部２４における渦電流損は、位置により漸次変化し、かつ位置に対して一意的に決定する。
図４においては、Ｂ−Ｂ’方向に厚さが減少する例を示す。
このような厚さ分布を有する導電部２４は、非磁性体２３の外面上に、メッキや蒸着法により、銅やアルミニウム等の非強磁性材料を形成し、その後非磁性体２３を、長手方向の軸の回りに回転させながら、Ｂ−Ｂ’方向に沿って研磨量を漸次変えることにより、形成することができる。
【００５２】
誘導部２５は、導電部２４の外面上に、メッキや蒸着法により、強磁性体を形成し、Ｂ−Ｂ’方向に沿って、可動磁性体２２の長手方向の径が同一になるように研磨することにより形成することができる。
【００５３】
中空の可動磁性体２２の内部には、励磁コイル２６、出力コイル２７及びリファレンスコイル２８が可動に配置されている。
励磁コイル２６の両側に出力コイル２７及びリファレンスコイル２８が連結されており、励磁コイル２６、出力コイル２７及びリファレンスコイル２８は、同軸の筒状（コイル状）に、それぞれ、例えば銅等の導電線を、券回して形成されている。
また、これらのコイルの軸が、中空の可動磁性体２２の長手方向の軸と同一になるように、励磁コイル２６、出力コイル２７及びリファレンスコイル２８が配置されている。
出力コイル２７及びリファレンスコイル２８は、同一の電気抵抗を有する導電線、例えば同一材料の銅線を、同一の幾何学的形状（径及び長さ）で、同一数券回することで、同一の電気的特性を備えている。ただし、リファレンスコイル２８のみ、少なくとも可動磁性体２２と対向するその外側表面、好適にはさらに出力コイル２７と対向する面も、カバー部材２９で覆われている。カバー部材２９は、実施形態１と同様に、パーマロイ、フェライト、鉄等の強磁性体又は、渦電流損を生じさせる銅、アルミニウム、銀等の良導体からなる。
【００５４】
励磁コイル２６、出力コイル２７及びリファレンスコイル２８は、その表面を保護するため、例えば樹脂等からなるコイルカバー３０で覆われている。
【００５５】
励磁コイル２６へ交流電流（交流電圧）を印加し、出力コイル２７及びリファレンスコイル２８に誘起される電圧を出力するため、各種の導電性ケーブルが、中空のケーブル支持部材３１の内部に配置され、励磁コイル２６、出力コイル２７及びリファレンスコイル２８に接続されている。
ケーブル支持部材３１は、例えば円筒状のステンレス鋼のパイプからなり、各種ケーブルを保護するとともに、励磁コイル２６、出力コイル２７及びリファレンスコイル２８に連結されており、これらのコイルを機械的に支持することもできる。
ケーブル支持部材３１を、図示しない軸受けにより、摺動可能に支持することで、励磁コイル２６、出力コイル２７及びリファレンスコイル２８が可動磁性体２２の内部に、長手方向の軸にそって可動に支持されている。
【００５６】
可動磁性体２２の長手方向、すなわち図４のＢからＢ’へと、導電部２４の厚さが漸次減少し、誘導部２５の厚さが漸次増大する。従って、励磁コイル２６と出力コイル２７及びリファレンスコイル２８との相互インダクタンスは、ＢからＢ’へと漸次増大する。
例えば、励磁コイル２６、出力コイル２７及びリファレンスコイル２８がＢからＢ’へと移動すると、実施形態１と同様に、励磁コイル２６を励磁したときの出力コイル２７及びリファレンスコイル２８の出力電圧は増大する。
さらにリファレンスコイル２８は、可動磁性体２２の側の表面がカバー部材２９により覆われているため、出力コイル２７の出力電圧に比べリファレンスコイル２８の出力電圧が小さい。
従って、励磁コイル２６を励磁したときの、出力コイル２７及びリファレンスコイル２８の出力電圧のＢ−Ｂ’距離依存性は、図２に示されるＡ−Ａ’距離依存性と同様の挙動を示す。
即ち、励磁コイル２６、出力コイル２７及びリファレンスコイル２８がＢからＢ’方向に移動するに従い、出力コイル２７及びリファレンスコイル２８の出力電圧の差分は増大するため、出力コイル２７及びリファレンスコイル２８の出力電圧の差分から、励磁コイル２６、出力コイル２７及びリファレンスコイル２８の位置検出が可能となる。
【００５７】
なお、出力コイル２７及びリファレンスコイル２８の出力電圧の差分から位置検出をするための電子回路は、図３に示された電子回路と同一の回路を使用することができる。
【００５８】
導電部２４の厚さ分布は、位置に関して一定の傾き、すなわち位置の一次関数であっても、一次関数以外の分布であってもよいが、一定の傾きとすることで加工が容易になる。
また、このような簡単な一定の傾きを持つ導電部２４の厚さ分布であっても、位置の絶対値を検出できることは、実施形態１と同様である。
【００５９】
なお、可動磁性体２２の形状は、円筒に限らず、断面が多角形であってもよい。
【００６０】
また、上記実施形態において、誘導部２５を省略することも可能である。導電部２４の渦電流損が漸次減少又は増大するため、可動磁性体２２を介した励磁コイル２６と出力コイル２７間及び励磁コイル２６とリファレンスコイル２８間の相互インダクタンスが位置により漸次変化し、一意的に確定するため、絶対位置の検出が可能である。
【００６１】
（実施形態３）
位置検出装置において、被検出物とともに移動する磁性体、すなわち可動磁性体の磁気的特性の位置依存性の絶対値を、特定の領域において、その他の領域と比べて、大きく設定することで、位置検出の空間分解能を高める（検出可能な最小変位を微細化する）ことができる。具体的には可動磁性体の導電部の厚さを調整することにより、位置検出の空間分解能を、自在に変更することができる。
このような特定の領域においては、可動磁性体を介した励磁コイルと出力コイル間及び励磁コイルとリファレンスコイル間の相互インダクタンスの位置依存性が大きくなるため、位置変化に対する検出感度が高められ、位置検出の空間分解能が高くなる。
例えば、プレス加工に使用されるプレス機械のスライド部においては、金型が被加工物であるワークに接触する付近からワークに圧力を加える領域において、スライドの位置の正確な制御が必要なため、それ以外のスライドの動作領域と比較し、スライドの位置の高い位置検出精度、高い空間分解能が必要となる。
本実施形態では、被検出物の移動に合わせて、高い制御が必要とされる移動領域（特定領域）において、特に高い位置検出精度、高い空間分解能を提供することができる位置検出装置について説明する。
【００６２】
図５（ａ）に示すように、可動磁性体２の誘導部３の表面に形成された導電部４は、境界部３２から、その厚さのＡ−Ａ’距離依存性が、特定の領域（高分解能領域と称す）において、その他の領域と比較して大きくなるように構成されている。図５（ａ）において、境界部３２からＡ’の領域が高分解能領域３３である。
【００６３】
例えば、円柱形状の可動磁性体２の中心軸のＡからＡ’方向にＸ軸をとり、可動磁性体２のＡ側端部の位置をｘ＝０とし、Ａ’側端部の位置をｘ＝Ｌ（０＜Ｌ）とし、境界部３２のｘの値をｘ＝ｐ（ｐ＜Ｌ）とする。
図５（ａ）において、ｘが０≦ｘ≦ｐの領域及びｐ≦ｘ≦Ｌの領域では導電部４の厚さのｘに対する変化量（傾き）が一定であるが、０≦ｘ≦ｐの領域の導電部４の厚さのｘに対する変化量（傾き）と比較してｐ≦ｘ≦Ｌの領域（高分解能領域３３）の導電部４の厚さのｘに対する変化量（傾き）が大きくなるように、導電部４の厚さを構成する。
具体的には、ｘに依存した導電部４の厚さ分布をｔ（ｘ）とし、ｘの範囲が０≦ｘ≦ｐのときのｔ（ｘ）のｘ微分の絶対値をα（α＞０、一定値）、ｘの範囲がｐ≦ｘ≦Ｌのときのｔ（ｘ）のｘ微分の絶対値をβ（β＞０、一定値）とすると、α＜βとなるようにｔ（ｘ）を設定する。
【００６４】
このような導電部４の厚さの構成は、導電部４をメッキや蒸着等に形成した後の研磨量を、境界部３２を境に変化させることで、実現することができる。
なお、導電部４の厚さｔ（ｘ）をｘの一次関数以外に設定し、α、βをｘの関数とすることも可能であるが、上記のように一次関数とすることで導電部４の加工が容易になる。
また、導電部４の厚さ分布が簡単な一次関数であっても、絶対位置を検出できることは実施形態１と同様である。
【００６５】
図６は、図５（ａ）の構成の可動磁性体２を用いた場合の、出力コイル７及びリファレンスコイル８の出力電圧の位置依存性を示す。
図６に示すように、導電部４の厚さは、励磁コイル９と出力コイル７間、及び励磁コイル９とリファレンスコイル８間の相互インダクタンスに影響し、点ｐ（境界部３２）を境にして、出力コイル７及びリファレンスコイル８のｘ依存性が変わり、点ｐからＡ’の高分解能領域３３の出力コイル７及びリファレンスコイル８の出力電圧の位置依存性（位置に対する変化量）の絶対値は、Ａから点ｐの領域（低分解能領域と称す）の出力コイル７及びリファレンスコイル８の出力電圧の位置依存性と比較して、大きくなる。ただし、移動方向により、変化量の正負が変わることは言うまでもない。
従って、ＡからＡ’方向への位置の変化により生じた出力コイル７及びリファレンスコイル８の出力電圧の変化の絶対値は、高分解能領域において大きくなり、微小な距離の変化により絶対値の大きな出力電圧の変化が得られ、空間分解能が高くなる。
言い換えると、図３で示されるような検出回路により検出可能な最小の電圧差に対して、特定の領域である高分解能領域においては、その他の領域と比べ位置の変化量が微細化されるため、空間分解能が高くなる。
【００６６】
上記例では、導電部４の厚さの位置依存性が大きい高分解能領域３３を、Ａ’側に設けたが、Ａ側に設けてもよく、さらに図５（ｂ）に示すようにＡ−Ａ’の間のいずれの箇所に設けてもよい。
被検出物の移動について、特に高い位置検出精度が必要とされる領域（高分解能領域）のみを導電部４の位置に対する変化量を大きくすることにより、高い空間分解能が必要とされない領域において、不要に導電部４の厚さを厚くする必要がなく、位置検出装置の大型化を抑制しながら、高精度な位置検出が可能となる。
【００６７】
なお、実施形態２に対しても高分解能領域３３を設けることができる。図５（ｃ）において、Ｂ’側に高分解能領域３３を設けている例を示すが、高分解能領域３３はＢ側に設けてもよく、またＢ−Ｂ’間のいずれの箇所に設けてもよい。
【００６８】
図５の場合も、導電部４の厚さ分布が簡単な一次関数であっても、絶対位置を検出できることは実施形態１、２と同様である。
【００６９】
なお、図５（ａ）、（ｂ）において、誘導部３の代わりに導電体で構成してもよく、又は非磁性体で構成してもよい。また、可動磁性体２は、その中心部の誘導部３を設けず中空としてもよい。
また、図５（ｃ）において、誘導部２５を省略することも可能である。
【００７０】
（実施形態４）  
上記実施形態では、可動磁性体は、強磁性体からなる誘導部と、非強磁性体からなる導電部とを含む構成である。
可動磁性体の導電部を省略し、誘導部の断面積が位置に依存し、漸次減少または増大するように構成してもよい。
【００７１】
図７に示すように、可動磁性体４０は、中心部分に強磁性体からなる誘導部４１を含む。強磁性体からなる誘導部４１の形状を、長手方向に漸次断面積が減少または増大するように構成する。具体的には、例えば円錐形状や角錐形状の一部とすることができる。
なお、図７においては、ＣからＣ’に向かうに従い、誘導部４１の断面積が減少する例を示す。
【００７２】
さらに、可動磁性体４０の表面を樹脂等の保護層４２で覆う。保護層４２は、可動磁性体４１の表面に樹脂を塗布しても良いが、中空の樹脂からなるパイプに可動磁性体４１を挿入してもよい。
この場合、誘導部４１をパイプ状の保護層４２に挿入し、誘導部４１と保護層４２とを固定せず、保護層４２の内部で誘導部４１を可動に構成することも可能である。
【００７３】
実施形態１と同様に、可動磁性体４０の外側に、実施形態１と同様に、励磁コイル９、出力コイル７及びリファレンスコイル８を配置する。可動磁性体４０の長手方向の位置により、励磁コイル９と出力コイル７及びリファレンスコイル８との相互インダクタンスが変化するため、実施形態１と同様の原理により、位置の絶対値を検知することができる。
【００７４】
さらに、誘導部４１を弾性を有し、断面積が漸次減少または増大する線状のように構成し、保護層４２に可撓性を有する材料を使用することにより、図８に示すように屈折させることが可能である。
例えば、屈曲させた状態で、保護層４２内部で線状の誘導部４１を可動に配置し、保護層４２を固定し、保護層４２に対して誘導部４１を相対的に移動させ、誘導部４１の位置の変化を検出することも可能である。
【００７５】
また、保護層４２内部で誘導部４１を可動に配置し、例えば図８の端部Ｃ’において保護層４２とを固定し、誘導部４１を保護層４２内部で移動させることにより、保護層４２及び誘導部４１の屈曲率を変化させてもよい。このとき、誘導部４１を移動させた変位を、端部Ｃにおいて保護層４２外部に配置した励磁コイル９、出力コイル７及びリファレンスコイル８により検出し、屈曲率を誘導部４１の一次元的変位により制御することができる。
【００７６】
なお、励磁コイル９、出力コイル７及びリファレンスコイル８の配置箇所は、外部からのノイズの相殺効果を得るためには、図８に示すように、好適には誘導部４１が直線状に延在する箇所に設置する。ただし、屈曲する箇所に各コイルを設置しても誘導部４１の変位を検出することは可能であり、屈曲部に各コイルを配置することを妨げない。
【００７７】
また、特定の領域において、その他の領域と比較して、誘導部４１の断面積の位置依存性を大きく設定し、特定の領域において位置検出の空間分解能を高めてもよい。
【００７８】
また、可動磁性体４０の代わりに良導体（可動良導体）を使用し、渦電流損の変化のみにより、位置検出が可能となるよう構成してもよい。すなわち誘導部４１の強磁性体の代わりに良導体を使用することで、渦電流損のみにより位置検出が可能となる構成としてもよい。
【産業上の利用可能性】
【００７９】
本発明によれば、差動変圧方式により、一次元の絶対位置を広範囲に検出できる。さらに、外部環境に対する耐性がある位置検出装置を提供することができる。本発明は、様々な応用が期待でき、産業上の利用性は高い。
【符号の説明】
【００８０】
１  位置検出装置
２  可動磁性体
３  誘導部
４  導電部
５  樹脂層
６  保護層
７  出力コイル
８  リファレンスコイル
９  励磁コイル
１０  カバー部材
１１  発振器
１２  差動アンプ
１３  検波回路
２１  位置検出装置
２２  可動磁性体
２３  非磁性体
２４  導電部
２５  誘導部
２６  励磁コイル
２７  出力コイル
２８  リファレンスコイル
２９  カバー部材
３０  コイルカバー
３１  ケーブル支持部材
３２  境界部
３３  高分解能領域
４０  可動磁性体
４１  誘導部
４２  保護層
【図１】
2019015657.tif 000003
【図２】
2019015657.tif 000004
【図３】
2019015657.tif 000005
【図４】
2019015657.tif 000006
【図５】
2019015657.tif 000007
【図６】
2019015657.tif 000008
【図７】
2019015657.tif 000009
【図８】
2019015657.tif 000010